(57)【要約】【課題】採苗後の抑制や一粒牡蠣の量産に使用可能で、牡蠣養殖用の網籠を自動的かつ定期的に干出させて網籠への有害生物の付着防除や網籠内の牡蠣の耐性向上を図ることができるようにする。【解決手段】浮材２４により支持される筏１３にディーゼルエンジンのような内燃機と、該内燃機によって駆動されるコンプレッサーを設けると共に、斜め下向きに延出する脚１５を介してタンク１６を連結する。タンク１６はバルブを有し、コンプレッサーから圧縮空気が圧送されると、タンク内の海水をバルブより排出して浮力を増大させ、筏１３を海面上方に持上げて筏１３に吊り下げられる牡蠣養殖用の網籠２５を海面より浮上させる。圧縮空気の圧送を停止し、タンク内の圧力が低下すると、バルブより海水がタンク内に流入し、タンク１６を沈降させて網籠２５を海水に漬ける。【選択図】図２
2005253424.tif 000002
【特許請求の範囲】
【請求項１】
牡蠣の幼生が付着する採苗器又は貝殻の砕片ないし砂粒に付着して生育した一粒付着稚貝が入れられる網籠と、該網籠を定期的に海面上に浮上させるか、又は回転させて海面より引き上げる装置とよりなることを特徴とする牡蠣養殖用の干出装置。
【請求項２】
網籠を浮上させる装置が海水中に沈むタンクと、該タンクに設けられ海水の出入りを制御するバルブと、タンクの浮力を調整するため、該タンクに圧縮空気を定期的に圧送する手段、例えばコンプレッサー又はボンベを有することを特徴とする請求項１記載の牡蠣養殖用の干出装置。
【請求項３】
網籠を浮上させる装置が一水平軸線の回りを回転可能な回転体と、該回転体を回転させる手段とからなり、回転体には、その円周方向に適当間隔を置いて網籠が吊持されることを特徴とする請求項１又は２記載の牡蠣養殖用の干出装置。
【請求項４】
網籠が径方向の仕切によって円周方向に複数区画に仕切られると共に、網籠を水平軸線の周りに回転させる装置が設けられることを特徴とする請求項１又は２記載の牡蠣養殖用の干出装置。
【発明の詳細な説明】
【技術分野】
【０００１】
本発明は、牡蠣を網籠に入れて養殖する際、網籠に付着した貝や藻などの付着防止と、籠内の牡蠣の耐性向上のため網籠を定期的に海面より干出させる干出装置に関する。
【背景技術】
【０００２】
牡蠣の養殖は、その多くが帆立貝の貝殻に針金を通して一定間隔で取付けた採苗連を付着期幼生の出現盛期に筏から海中に吊り下げて牡蠣の幼生を付着させる採苗期と、採苗後、採苗連を引上げて干潟に写し、そこで潮の干満を利用して海水に浸したり、日や風波に当てて牡蠣の成長を抑制すると共に、牡蠣に付着する有害生物を死滅させて防除し、かつ抵抗力の強い種牡蠣を育成する抑制期と、採苗連から種牡蠣の付着する帆立貝を外し、新しい針金に通し替えて垂下連を作り、これを筏や棚等から海中に吊り下げて牡蠣を育成する本垂下期を経て行われ、本垂下期後、陸揚げされ、出荷されるが、一部の殻の形がよく、大きな牡蠣は陸揚げ後選別され、籠に入れて再度垂下養殖したのち、殻付きの、いわゆる「一粒牡蠣」として出荷されている。
【０００３】
一粒牡蠣は、単価が高く、需要も伸びていることから、量産することが望まれているが、上述する従来の方法では、一粒牡蠣として利用できるのは全体の一割程度で歩留まりが低い。こうした問題を解消するために新たに開発された生産技術に次のような方法がある。
【０００４】
この方法は、プランクトンを含む天然の海水をタンクに供給して該タンクに帆立貝や牡蠣の貝殻を粉砕した貝殻片と、採取した牡蠣の幼生を入れ、これにより貝殻片に牡蠣の幼生を付着させて育成し、一定サイズに育成した一粒付着稚貝を採取して次に図１に示すように網籠１に入れ、これを筏２より海中に吊り下げて養殖を行う方法よりなるもので、牡蠣の育成に伴い、牡蠣のサイズが大きくなるにつれ、一定期間ごとに網籠１を筏上に引き上げてメッシュの大きな網籠に牡蠣を移し替えていた。
【発明の開示】
【発明が解決しようとする課題】
【０００５】
従来の牡蠣の養殖方法では上述するように、帆立貝の貝殻を海中に吊り下げて牡蠣の幼生を付着させて採苗したのち、採苗連を干潟に移して抑制するようになっており、抑制するために干潟に移動する必要があった。
【０００６】
また一粒牡蠣の量産技術として開発された後者の方法においては、牡蠣を網籠に入れて養殖するが、海中に吊るした網籠には、貝や藻が付着して、餌不足や酸素不足に陥り、中に入れた牡蠣が死滅することが予想される。
【０００７】
本発明は、採苗後の抑制や一粒牡蠣の量産に使用することができ、採苗後の抑制に使用するときには、干潟に移動させなくてもよいようにし、また抑制や一粒牡蠣の量産に使用する際、牡蠣を入れた網籠を自動的かつ定期的に干出させて網籠への有害生物の付着防除や牡蠣の耐性向上を図ることができる牡蠣養殖用の干出装置を提供することを目的とする。
【課題を解決するための手段】
【０００８】
請求項１に係る発明は、牡蠣の幼生が付着する採苗器又は貝殻の砕片ないし砂粒に付着して生育した一粒付着稚貝が入れられる網籠と、該網籠を定期的に海面上に浮上させるか又は回転させて海面より引き上げる装置とよりなることを特徴とする。
【０００９】
請求項２に係る発明は、請求項１に係る発明において、網籠を浮上させる装置が海水中に沈むタンクと、該タンクに設けられ海水の出入りを制御するバルブと、タンクの浮力を調整するため、該タンクに圧縮空気を定期的に圧送する手段、例えばコンプレッサー又はボンベを有することを特徴とし、
請求項３に係る発明は、請求項１又は２に係る発明において、網籠を浮上させる装置が一水平軸線の回りを回転可能な回転体と、該回転体を回転させる手段とからなり、回転体には、その円周方向に適当間隔を置いて網籠が吊持されることを特徴とする。
【００１０】
本発明における回転体を回転させる手段は、回転体の側面より突設されるハンドルよりなり、ハンドル操作により回転体を手動にて回転させるものであってもよいし、動力装置よりなり、回転体を自動的に回転させるものであってもよい。
【００１１】
請求項４に係る発明は、請求項１又は２に係る発明において、網籠が径方向の仕切によって円周方向に複数区画に仕切られると共に、網籠を水平軸線の周りに回転させる装置が設けられることを特徴とする。
【発明の効果】
【００１２】
請求項１に係る発明の干出装置を採苗後の抑制に使用するときには、採苗後、牡蠣の幼生が付着した採苗器をそのまま網籠に入れて定期的に海面より干出させることにより干潟で潮の干満により抑制するのと同じ抑制効果を生ずるようになり、採苗現場で抑制を行うことができるから干潟に移動させる必要がない。なお、採苗器は針金等に取付けたままの採苗連の状態で網籠に入れてもよいし、針金等より抜き出して網籠に入れてもよい。
【００１３】
また、干出装置を抑制期に使用する場合は勿論のこと、一粒牡蠣の量産に使用するときにも、牡蠣の幼生や一粒付着稚貝を網籠に入れて海面より定期的に干出させて一定時間日に当てたり乾燥させることにより少ない労力で、或いは労力を要することなく網籠に付着した有害生物を死滅させて新鮮な海水が流通できるようにし、これにより餌不足や酸素不足を解消して牡蠣の死滅を防ぐと共に、牡蠣の身を引き締めて美味しくし、かつ牡蠣の耐性を向上させて病気になりにくくすることができる。
【００１４】
請求項２に係る発明によると、海水中に沈められるタンクに圧縮空気を定期的に送ってバルブを通してタンク内の海水を排出することにより該タンクの浮力を増して上昇させ、網籠を海面より浮上させることができる。
【００１５】
請求項３に係る発明によると、回転体に吊り下げられる網籠が回転体の回転により海面より浮上して上昇したのち降下し、海面下に投入されるようになる。
【００１６】
請求項４に係る発明によると、網籠の回転に伴い網籠下側部の採苗器又は一粒付着稚貝が仕切によって掻き上げられ、海面より露出する。そして一定時間露出したのち仕切がゆっくりと傾斜するにしたがって仕切を転がり落ち、海面下に投入される。
【００１７】
請求項３及び４に係る発明においては、請求項２に係る発明との組合せにより網籠全体を海面より浮上させることができる。
【発明を実施するための最良の形態】
【００１８】
以下、本発明の実施形態の干出装置について図面により説明する。
図２に示す干出装置は、縦材１１と横材１２を格子状に組合せて一体化した筏１３の上に設置したボックス１４内に組み込まれ、一定時間ごとに一定時間駆動される図示しない例えばディーゼルエンジンのような内燃機及び該内燃機によって駆動されるコンプレッサーと、筏１３の前後左右に斜め下向きに延出する脚１５を介して連結され、コンプレッサーからダクト１７を介して圧縮空気が圧送されるタンク１６を有している。図中、▽印は海面を示している。以下の図においても同様である。
【００１９】
各タンク１６は図３に示すように、下側部に一対の開口１８、１９と、開口１８を外側より開閉可能に塞ぐバルブ２１と、開口１９を内側より開閉可能に塞ぐバルブ２１を有し、各バルブ２１及び２２は、それぞれ図示しないバネによって開口１８及び１９を塞ぐように付勢されている。
【００２０】
図中、２４は筏１３の下側に連結されるタンク等よりなる浮材であり、２５は針金２６に一定間隔で連結され、筏１３に前後左右に一定間隔で吊り下げられる網籠で、該網籠２５内には、帆立貝等の採苗器が単独又は針金に取付けた状態で入れられるか、或いは貝殻の砕片ないし砂粒に付着して成育した一粒付着稚貝が入れられている。
【００２１】
図２に示す状態でコンプレッサーが駆動され、タンク１６内に圧縮空気が圧送されてタンク内の圧力がタンク外の水圧を超えて上昇すると、バルブ２１が図３の一転鎖線で示すようにバネの作用に抗して外方に押出され、これにより開口１８が開いてタンク内の海水が該開口１８より排出され、タンク１６の浮力を増してタンク１６を海面まで浮上させる。
【００２２】
そして筏１３や該筏１３に吊り下げられる一連の網籠２５を海面より上昇させる。コンプレッサーの駆動は一定時間行われ、一定時間後、コンプレッサーが停止すると、タンク内の圧力は徐々に降下するが、タンク内の圧力がタンク外の水圧より若干小さくなると、バルブ２１が閉じると共に、バルブ２２が図１の一転鎖線で示すようにバネの作用に抗して内方に押出され、これにより開口１９が開いて海水が開口１９よりタンク内に流入する。
【００２３】
タンク内への海水の流入量が増すと、タンク１６の浮力が小さくなり、タンク１６及び筏１３が降下して網籠２５が着水し、海面下に降下する。タンク１６及び筏１３の降下は、タンク１６が海水で満たされるまで行われ、タンク１６が海水で満たされると、筏１３、内燃機、コンプレッサー、タンク１６、籠２５等の全重量と、浮材２４による浮力が釣り合った状態で、図２に示すように、浮材２４が海面に浮き、その上に筏１３が支持された状態となる。
【００２４】
以上のように一定時間ごとに網籠２５が海面より浮上し、浮上した時間帯で網籠と網籠内の牡蠣に日や風が当てられて乾燥され、これにより抑制が行われると共に、網籠に付着した有害生物が死滅し、餌不足や酸素不足を解消すると共に、牡蠣の耐性を向上させる。籠２５が海面下にあるとき、牡蠣は網籠を通して流入した海水中のプランクトンを餌として捕食し、育成する。
【００２５】
一定時間経過して牡蠣の育成が進み、そのサイズがある程度の大きさになると、メッシュの大きな籠に移し替えられる。メッシュの大きな籠への移し替えは、出荷に至るまで何度か行われ、移し替え後、その都度海面より昇降する上記と同様の操作が繰返される。
【００２６】
図４に示す干出装置は、内部が空洞をなす円板状の一対の回転体３１と、両回転体３１を周方向に一定間隔で連結するロッド３２と、回転体３１の側面より突設され、図示しないハンドルと、回転体３１の浮力調整のため圧縮空気や海水を注入するためのパイプ３３よりなり、各ロッド３２には一定間隔で網籠２５が吊り下げられている。図中、３４は海底に着床する錘で、海流によって干出装置が流れないように固定するためのものである。
【００２７】
ロッド３２が周方向に等間隔で１２本設けられている図５に示す装置を例にとっていえば、１２本のロッド３２のうち、５本のロッド３２に吊り下げられる網籠２５が海面より持上げられた状態にあり、この状態ではハンドル操作により回転体３１を一定時間ごとに１３５°ずつ回転させると、３回の回動操作で全ての網籠２５を海面より持上げて乾燥させることができる。
【００２８】
上述する干出装置では、回転体３１はロッド３２の両端に設けられているが、浮力を確保するためにロッドの中間部に１ないし複数設けてもよい。
上述する干出装置では、また回転体３１の回転はハンドル操作により手動にて行われるようになっているが、回転体３１に動力装置を設置して動力にて行わせることもできる。
【００２９】
図６に示す干出装置は、図５に示す干出装置において、回転体３１を中実な扁平の回転体３６として横長の浮体３７に回転可能に取付けたもので、その浮力調整は、パイプ３３より圧縮空気や海水を注入することにより行われるようになっている。
【００３０】
図７に示す干出装置は、浮材２４を取付けた筏４１に定間隔でボックス状をなす網籠４２を回転可能に取付け、各網籠４２は図示しない動力装置によって水平軸線の回りに一定速度でゆっくりと回転できるようになっており、内部が図８に示すように、網状をなす仕切４３によって二つの室４５ａ及び４５ｂに仕切られている。
【００３１】
本装置は以上のように構成され、図８に示す装置を例にとっていえば、網籠４２が時計方向に９０°回転すると、図の左側の網籠４２では左側の室４５ａ内の下側部の採苗器又は一粒付着稚貝４４が仕切４３によって掻き上げられて海面より持ち上げられる一方、右側の網籠４２では、上側に位置する室４５ａ内の仕切４３上の採苗器又は一粒付着稚貝４４が海面下に崩れ落ちて、左側の網籠４２のようになる。このように回転して牡蠣同士が接触したり摺れ合ったりするようになることにより、一粒牡蠣に付着した貝や藻が除去される効果も期待することができる。
図９に示す干出装置は、図４に示す干出装置を筏４７に取付けた例を示すものである。
【００３２】
図４〜図９に示す干出装置においても、牡蠣の育成が進み、そのサイズがある程度の大きさになると、網籠がメッシュの大きなものに替えられる。
【産業上の利用可能性】
【００３３】
本発明の干出装置は、採苗後の抑制期に使用することができるほか、一粒牡蠣の量産にも使用することができる。
【図面の簡単な説明】
【００３４】
【図１】牡蠣養殖の従来例を示す図。
【図２】本発明に係る干出装置の斜視図。
【図３】タンクの断面図。
【図４】干出装置の別の例を示す斜視図。
【図５】同装置の断面図。
【図６】干出装置の別の態様を示す側面図。
【図７】干出装置の更に別の例を示す斜視図。
【図８】図７に示す干出装置の正面図。
【図９】干出装置の更に別の例を示す斜視図。
【符号の説明】
【００３５】
１１・・縦材
１２・・横材
１３、４１、４７・・筏
１４・・ボックス
１５・・脚
１６・・タンク
１７・・ダクト
１８、１９・・開口
２１、２２・・バルブ
２４・・浮体
２５、４２・・網籠
３１、３６・・回転体
３２・・ロッド
３３・・ハンドル
３４・・錘
３７・・浮体
４３・・仕切
４４・・一粒付着稚貝
４５ａ、４５ｂ・・室
【図１】
2005253424.tif 000003
【図２】
2005253424.tif 000004
【図３】
2005253424.tif 000005
【図４】
2005253424.tif 000006
【図５】
2005253424.tif 000007
【図６】
2005253424.tif 000008
【図７】
2005253424.tif 000009
【図８】
2005253424.tif 000010
【図９】
2005253424.tif 000011